(57)【要約】  折畳式テーブルスツールセットは、フレーム（１０）、フレーム（１０）の片側に位置するテーブル板（２０）、フレーム（１０）の片側に位置するスツール板（３０）を含み、フレーム（１０）は前後に縦方向に並んで設置される２本の支持棒（１２）を含む。フレーム（１０）はスツール板（３０）に対応して一対のリンク機構（１６）を有し、２つのリンク機構（１６）は２本の支持棒（１２）の底部にそれぞれ接続される。リンク機構（１６）は回転接合されるスイングアーム（１６２）及び接続アーム（１６４）を含み、スイングアーム（１６２）は地面に支持され、スイングアーム（１６２）の外端は支持棒（１２）と回転接合される。接続アーム（１６４）の外端に接続軸（１６６）が設けられ、接続軸（１６６）はスツール板（３０）の下面を支持する。接続軸（１６６）はスツール板（３０）の幅方向に沿って設置され、スツール板（３０）と回転接合される。展開状態では、リンク機構（１６）はスツール板（３０）の下面を支持してスツール板（３０）の水平を保持する。折畳状態では、接続アーム（１６４）はスツール板（３０）と共に支持棒（１２）側に旋回してスツール板（３０）を垂直にする。スイングアーム（１６２）及び接続アーム（１６４）は共にスツール板（３０）の内側に向かって回転し、スツール板（３０）の下面に接近する。【選択図】図５
2021534845.tif 000002
【特許請求の範囲】
【請求項１】
折畳及び展開の２つの状態を有し、フレーム、前記フレームの片側に位置するテーブル板、前記フレームの片側に位置するスツール板を含み、前記フレームが前後に縦方向に並んで設置される２本の支持棒を含む折畳式テーブルスツールセットであって、前記フレームが前記スツール板に対応して一対のリンク機構を有し、２つの前記リンク機構が２本の前記支持棒の底部にそれぞれ接続され、前記リンク機構が回転接合されるスイングアーム及び接続アームを含み、前記スイングアームが地面に支持され、前記スイングアームが前記支持棒と回転接合され、前記接続アームに接続軸が設けられ、前記接続軸が前記スツール板の下面を支持し、前記接続軸が前記スツール板の幅方向に沿って設置され、前記スツール板と回転接合され；
展開状態では、前記リンク機構が前記スツール板の下面を支持して前記スツール板の水平を保持し；
折畳状態では、前記接続アームが前記スツール板と共に前記支持棒側に旋回して前記スツール板を垂直にし、前記スイングアーム及び接続アームが共に前記スツール板の内側に向かって回転し、前記スツール板の下面に接近することを特徴とする、折畳式テーブルスツールセット。
【請求項２】
折畳状態では、前記スイングアーム及び前記支持棒の間の回転軸線が前記接続軸と１本の直線上にあることを特徴とする、請求項１に記載の折畳式テーブルスツールセット。
【請求項３】
前記支持棒の底部にＣ型フレームが設けられ、前記スイングアームの内端が前記Ｃ型フレーム内に位置して前記Ｃ型フレームと回転接合され、折畳状態では、前記スツール板が前記Ｃ型フレーム上に直立し、前記支持棒の外側に接近することを特徴とする、請求項２に記載の折畳式テーブルスツールセット。
【請求項４】
前記接続アームが曲がってＣ状を呈することを特徴とする、請求項１に記載の折畳式テーブルスツールセット。
【請求項５】
前記スツール板下面の中央部にその長手方向に沿って補強棒が設けられ、前記接続アーム及び前記補強棒の間に連結棒が接続され、前記連結棒の一端が前記接続アームとヒンジ連結され、前記連結棒のもう一端がスライドブッシュとヒンジ連結され、前記スライドブッシュが前記補強棒にスライド設置され；前記補強棒に挿入孔が設けられ、前記スライドブッシュに可動ピンが設けられ、展開状態では、前記可動ピンが前記挿入孔中に挿入されることを特徴とする、請求項１〜４のいずれか１項に記載の折畳式テーブルスツールセット。
【請求項６】
前記テーブル板の両側が２本の前記支持棒の最上部とそれぞれヒンジ連結され、前記フレームが前記テーブル板に対応して一対の横棒を有し、２本の前記横棒が２本の前記支持棒の最上部とそれぞれ回転接合され；展開状態では、前記横棒が前記テーブル板の下面を支持して前記テーブル板の水平を保持し、折畳状態では、前記横棒が回転して前記テーブル板の内側縁に接近し、前記テーブル板が下に旋回して垂直になることを特徴とする、請求項１に記載の折畳式テーブルスツールセット。
【請求項７】
前記横棒の外端に突起が設けられ、前記テーブル板の底面が前記横棒に対応して係止ブロックを有し、前記係止ブロックが前記突起に対応して弧状のスライド溝を有し、前記スライド溝の端部に定位孔が形成され、展開状態では、前記突起が前記定位孔中に留まることを特徴とする、請求項６に記載の折畳式テーブルスツールセット。
【請求項８】
前記支持棒の最上端の左右両側にそれぞれ接続片が設けられ、前記接続片が前記テーブル板とヒンジ連結されることを特徴とする、請求項６に記載の折畳式テーブルスツールセット。
【請求項９】
前記テーブル板の側面に、外側から前記接続片を隠すカバーが設けられることを特徴とする、請求項８に記載の折畳式テーブルスツールセット。
【請求項１０】
前記テーブル板の両側が２本の前記支持棒の最上部とそれぞれヒンジ連結され、前記テーブル板下面の両側が２本の支持棒に対応して２つのガイドバーを有し、前記ガイドバーにスライダが設けられ、前記スライダが前記ガイドバーに沿ってスライドすることができ、前記ガイドバーにロック孔が設けられ、前記スライダに可動ピンが設けられ、前記スライダ及び前記支持棒の間に支柱が設けられ、前記支柱の両端がそれぞれ前記スライダ及び前記支持棒とヒンジ連結され；展開状態では、前記可動ピンが前記ロック孔中に挿入され、前記支柱が前記テーブル板の下面を支持して前記テーブル板の水平を保持し、折畳状態では、前記可動ピンが前記ロック孔から抜かれ、前記テーブル板が下に旋回して垂直になることを特徴とする、請求項１に記載の折畳式テーブルスツールセット。
【請求項１１】
前記テーブル板下面の２つのガイドバーの間に持上棒が接続され、前記持上棒が前記ガイドバーと回転接合され、前記持上棒が２つのスライダ上の可動ピンと連動し、前記持上棒を回転させ、前記可動ピンを前記ロック孔から抜くことができることを特徴とする、請求項１０に記載の折畳式テーブルスツールセット。
【請求項１２】
前記スツール板の上面が前記支持棒に対応して凹状溝を有し、折畳状態では、前記凹状溝が前記支持棒に嵌ることを特徴とする、請求項１に記載の折畳式テーブルスツールセット。
【請求項１３】
前記テーブル板は２枚が前記フレームの左右両側に対称に設置され、前記スツール板は２枚が前記フレームの左右両側に対称に設置されることを特徴とする、請求項１に記載の折畳式テーブルスツールセット。
【請求項１４】
折畳及び展開の２つの状態を有し、フレーム、前記フレームの左右両側に対称に設置される一対のテーブル板、前記フレームの左右両側に対称に設置される一対のスツール板を含み、前記フレームが前後に縦方向に並んで設置される２本の支持棒を含む折畳式テーブルスツールセットであって、前記フレームが各前記スツール板に対応して一対のリンク機構を有し、各スツール板に対応する２つの前記リンク機構が２本の前記支持棒の底部にそれぞれ接続され、前記リンク機構が回転接合されるスイングアーム及び接続アームを含み、前記スイングアームが地面に支持され、前記スイングアームが前記支持棒と回転接合され、前記接続アームに接続軸が設けられ、前記接続軸が前記スツール板の下面を支持し、前記接続軸が前記スツール板の幅方向に沿って設置され、前記スツール板と回転接合され；
展開状態では、前記リンク機構が前記スツール板の下面を支持して前記スツール板の水平を保持し；
折畳状態では、前記接続アームが前記スツール板と共に前記支持棒側に旋回して前記スツール板を垂直にし、前記スイングアーム及び接続アームが共に前記スツール板の内側に向かって回転し、前記スツール板の下面に接近することを特徴とする、折畳式テーブルスツールセット。
【請求項１５】
前記テーブル板の両側が２本の前記支持棒の最上部とそれぞれヒンジ連結され、前記フレームが各前記テーブル板に対応して一対の横棒を有し、各テーブル板に対応する２本の前記横棒が２本の前記支持棒の最上部とそれぞれ回転接合され、展開状態では、前記横棒が前記テーブル板の下面を支持して前記テーブル板の水平を保持し、折畳状態では、前記横棒が回転して前記テーブル板の内側縁に接近し、前記テーブル板が下に旋回して垂直になることを特徴とする、請求項１４に記載の折畳式テーブルスツールセット。
【請求項１６】
前記テーブル板の両側が２本の前記支持棒の最上部とそれぞれヒンジ連結され、前記テーブル板下面の両側が２本の支持棒に対応して２つのガイドバーを有し、前記ガイドバーにスライダが設けられ、前記スライダが前記ガイドバーに沿ってスライドすることができ、前記ガイドバーにロック孔が設けられ、前記スライダに可動ピンが設けられ、前記スライダ及び前記支持棒の間に支柱が設けられ、前記支柱の両端がそれぞれ前記スライダ及び前記支持棒とヒンジ連結され；展開状態では、前記可動ピンが前記ロック孔中に挿入され、前記支柱が前記テーブル板の下面を支持して前記テーブル板の水平を保持し、折畳状態では、前記可動ピンが前記ロック孔から抜かれ、前記テーブル板が下に旋回して垂直になることを特徴とする、請求項１４に記載の折畳式テーブルスツールセット。
【請求項１７】
前記テーブル板下面の２つのガイドバーの間に持上棒が接続され、前記持上棒が前記ガイドバーと回転接合され、前記持上棒が２つのスライダ上の可動ピンと連動し、前記持上棒を回転させ、前記可動ピンを前記ロック孔から抜くことができることを特徴とする、請求項１６に記載の折畳式テーブルスツールセット。
【請求項１８】
前記スツール板の上面が前記支持棒に対応して凹状溝を有し、折畳状態では、前記凹状溝が前記支持棒に嵌ることを特徴とする、請求項１７に記載の折畳式テーブルスツールセット。
【請求項１９】
折畳及び展開の２つの状態を有し、フレーム、前記フレームの左右両側に対称に設置される一対のテーブル板、前記フレームの左右両側に対称に設置される一対のスツール板を含み、前記フレームが前後に縦方向に並んで設置される２本の支持棒を含む折畳式テーブルスツールセットであって、前記フレームが２本の前記支持棒の最上部に接続される中間板をさらに含み、前記テーブル板の両側がそれぞれ前記中間板とヒンジ連結され、前記フレームが各前記スツール板に対応して一対のリンク機構を有し、各スツール板に対応する２つの前記リンク機構が２本の前記支持棒の底部にそれぞれ接続され、前記リンク機構が回転接合されるスイングアーム及び接続アームを含み、前記スイングアームが地面に支持され、前記スイングアームの外端が前記支持棒と回転接合され、前記接続アームの外端に接続軸が設けられ、前記接続軸が前記スツール板の下面を支持し、前記接続軸が前記スツール板の幅方向に沿って設置され、前記スツール板と回転接合され、
展開状態では、前記テーブル板が水平に配置され、前記中間板と１つの平面内にあり、前記中間板が２つのテーブル板の間にあり、前記リンク機構が前記スツール板の下面を支持して前記スツール板の水平を保持し；
折畳状態では、前記テーブル板が下に旋回して垂直になり、前記接続アームが前記スツール板と共に前記支持棒側に旋回して前記スツール板を垂直にし、前記スイングアーム及び接続アームが共に前記スツール板の内側に向かって回転し、前記スツール板の下面に接近することを特徴とする、折畳式テーブルスツールセット。
【請求項２０】
前記フレームが各前記テーブル板に対応して一対の横棒を有し、各テーブル板に対応する２本の前記横棒が２本の前記支持棒の最上部とそれぞれ回転接合され、展開状態では、前記横棒が前記テーブル板の下面を支持して前記テーブル板の水平を保持し、折畳状態では、前記横棒が回転して前記中間板の下面に収容され、前記テーブル板が下に旋回して垂直になることを特徴とする、請求項１９に記載の折畳式テーブルスツールセット。
【請求項２１】
前記テーブル板下面の両側が２本の支持棒に対応して２つのガイドバーを有し、前記ガイドバーにスライダが設けられ、前記スライダが前記ガイドバーに沿ってスライドすることができ、前記ガイドバーにロック孔が設けられ、前記スライダに可動ピンが設けられ、前記スライダ及び前記支持棒の間に支柱が設けられ、前記支柱の両端がそれぞれ前記スライダ及び前記支持棒とヒンジ連結され；展開状態では、前記可動ピンが前記ロック孔中に挿入され、前記支柱が前記テーブル板の下面を支持して前記テーブル板の水平を保持し、折畳状態では、前記可動ピンが前記ロック孔から抜かれ、前記テーブル板が下に旋回して垂直になることを特徴とする、請求項１９に記載の折畳式テーブルスツールセット。
【請求項２２】
前記テーブル板下面の２つのガイドバーの間に持上棒が接続され、前記持上棒が前記ガイドバーと回転接合され、前記持上棒が２つのスライダ上の可動ピンと連動し、前記持上棒を回転させ、前記可動ピンを前記ロック孔から抜くことができることを特徴とする、請求項２１に記載の折畳式テーブルスツールセット。
【請求項２３】
前記スツール板の上面が前記支持棒に対応して凹状溝を有し、折畳状態では、前記凹状溝が前記支持棒に嵌ることを特徴とする、請求項１９に記載の折畳式テーブルスツールセット。
【請求項２４】
フレーム、前記フレームの片側に位置するテーブル板、前記フレームの片側に位置するスツール板を含み、前記フレームが並んで設置される２本の支持棒を含み、前記フレームが前記スツール板に対応して一対のリンク機構を有し、２つの前記リンク機構が２本の前記支持棒の底部にそれぞれ接続される折畳可能なテーブルスツールセットの折畳方法であって、前記リンク機構がスイングアーム及び接続アームを含み、前記接続アームが前記スツール板を支持し、前記接続アーム及び前記スイングアームが回転可能に接合され、前記スイングアームが地面に支持され、前記スイングアームが前記支持棒と回転接合され、前記接続アームが前記スツール板の下面を支持して前記スツール板と枢着し；折畳方法は、前記接続アームを前記スツール板と共に前記フレーム側に旋回させて、前記スツール板を前記支持棒におおよそ平行にし、前記スイングアームを接続アームと共に前記スツール板の中央に向かって回転させ、おおよそ前記スツール板の下面まで回転させることを特徴とする方法。
【請求項２５】
前記接続アームに接続軸が設けられ、前記接続軸が前記スツール板の下面を支持し、前記接続軸が前記スツール板の幅方向に沿って設置され、前記スツール板と回転可能に枢着されることを特徴とする、請求項２４に記載の折畳可能なテーブルスツールセットの折畳方法。
【請求項２６】
前記テーブル板の両側が２本の前記支持棒とそれぞれヒンジ連結され、前記フレームが前記テーブル板に対応して一対の横棒を有し、２本の前記横棒が２本の前記支持棒とそれぞれ回転接合され；展開時、前記横棒が前記テーブル板の下面を支持して前記テーブル板の水平を保持し；折畳時、前記横棒が回転して前記テーブル板の内側縁に接近し、前記テーブル板が下に旋回して支持棒におおよそ平行である、請求項２４又は２５に記載の折畳可能なテーブルスツールセットの折畳方法。
【請求項２７】
フレーム、前記フレームの片側に位置するテーブル板、前記フレームの片側に位置するスツール板を含み、前記フレームが並んで設置される２本の支持棒を含み、前記フレームが前記スツール板に対応して一対のリンク機構を有し、２つの前記リンク機構が２本の前記支持棒の底部にそれぞれ接続される折畳可能なテーブルスツールセットであって、前記リンク機構がスイングアーム及び接続アームを含み、前記接続アームが前記スツール板を支持し、前記スイングアーム及び前記支持棒の間に１つの回転関係が形成され、前記スイングアーム及び前記接続アームの間にもう１つの回転関係が形成され、前記接続アーム及び前記スツール板の間に第３の回転関係が形成され、前記リンク機構を開閉することにより直接スツール板を旋回させ、折畳方法は、前記接続アームを前記スツール板と共に前記フレーム側に旋回させて、前記スツール板を前記支持棒におおよそ平行にし、前記スイングアームを接続アームと共に前記スツール板の中央に向かって回転させ、おおよそ前記スツール板の下面まで回転させることを特徴とする折畳可能なテーブルスツールセット。
【請求項２８】
前記テーブル板の両側が２本の前記支持棒とそれぞれヒンジ連結され、前記フレームが前記テーブル板に対応して一対の横棒を有し、２本の前記横棒が２本の前記支持棒とそれぞれ回転接合され；展開時、前記横棒が前記テーブル板の下面を支持して前記テーブル板の水平を保持し；折畳時、前記横棒が回転して前記テーブル板の内側縁に接近し、前記テーブル板が下に旋回して支持棒におおよそ平行であることを特徴とする、請求項２７に記載の折畳可能なテーブルスツールセット。
【請求項２９】
前記フレームが２本の前記支持棒の最上部に接続される中間板をさらに含み、前記テーブル板の両側がそれぞれ前記中間板とヒンジ連結され、前記テーブル板は前記中間板に相対して旋回することができることを特徴とする、請求項２７に記載の折畳可能なテーブルスツールセット。
【請求項３０】
前記テーブル板は２枚が前記フレームの左右両側に対称に設置され、前記スツール板は２枚が前記フレームの左右両側に対称に設置されることを特徴とする、請求項２７又は２８に記載の折畳可能なテーブルスツールセット。
【発明の詳細な説明】
【技術分野】
【０００１】
本発明は、折畳式テーブルスツールセットに関する。
【背景技術】
【０００２】
折畳式テーブルスツールセットは、テーブル板及びスツール板が同時にフレームにヒンジ連結され、テーブル板及びスツール板はいずれも展開及び折畳を行うことができる。テーブル板、スツール板及びフレームを組み立てて使用し、使用が便利で、保管空間が小さいという利点を有し、屋外での使用に適している。
【０００３】
既存の折畳式テーブルスツールセットは、スツール板の両側及びフレームの間がいずれもスライダ機構により接続され、スツール板及びスライダ機構の間に１つの回転軸が存在する。スツール板が展開しているとき、スツール板の両側の回転軸は１本の直線上になく、スツール板は旋回させることができず、使用の安定性を保証する。折畳の過程において、フレームによりスツール板の両側のスライダ機構をスライドさせ、スツール板の両側の回転軸を同一の直線上まで調整すると、スツール板を旋回させて折畳を実現することができる。
【０００４】
既存の折畳式テーブルスツールセットは、折畳及び展開の過程で、スツール板の両側のスライダ機構をいずれも弧状にスライドさせる必要があり、展開及び折畳の過程で、スツール板を平らに保持する必要がある。すなわちスツール板の両側のスライダ機構を同時に動作させる必要があり、そうでなければスライダ機構をスライドさせるとき、引っかかる現象が容易に生じる。つまり、スツール板の展開及び折畳がスムーズでなく、さらにスライダ機構の構造も複雑である。特に、スツール板の長さが比較的長いとき、人が両腕で両側のスライダ機構を同時に操作することができず、折畳操作が不便である。
【発明の概要】
【発明が解決しようとする課題】
【０００５】
本発明は、構造が簡単で、スツール板の開閉がスムーズな折畳式テーブルスツールセットを提供している。本発明がその技術的問題を解決するために採用した技術案は以下の通りである。
折畳式テーブルスツールセットは、折畳及び展開の２つの状態を有し、フレーム、前記フレームの片側に位置するテーブル板、前記フレームの片側に位置するスツール板を含み、前記フレームは前後に縦方向に並んで設置される２本の支持棒を含む。前記フレームは前記スツール板に対応して１対のリンク機構を有し、２つの前記リンク機構は２本の前記支持棒の底部にそれぞれ接続される。前記リンク機構は回転接合されるスイングアーム及び接続アームを含み、前記スイングアームは地面に支持され、前記スイングアームの外端は前記支持棒と回転接合される。前記接続アームの外端に接続軸が設けられ、前記接続軸は前記スツール板の下面を支持する。前記接続軸は前記スツール板の幅方向に沿って設置され、前記スツール板と回転接合される。
展開状態では、前記リンク機構は前記スツール板の下面を支持して前記スツール板の水平を保持する。
折畳状態では、前記接続アームが前記スツール板と共に前記支持棒側に旋回して前記スツール板を垂直にする。前記スイングアーム及び接続アームは共に前記スツール板の内側に向かって回転し、前記スツール板の下面に接近する。
【０００６】
折畳式テーブルスツールセットは、折畳及び展開の２つの状態を有し、フレーム、前記フレームの左右両側に対称に設置される１対のテーブル板、前記フレームの左右両側に対称に設置される一対のスツール板を含み、前記フレームは前後に縦方向に並んで設置される２本の支持棒を含む。前記フレームは各前記スツール板に対応して１対のリンク機構を有し、各スツール板に対応する２つの前記リンク機構は２本の前記支持棒の底部にそれぞれ接続される。前記リンク機構は回転接合されるスイングアーム及び接続アームを含み、前記スイングアームは地面に支持され、前記スイングアームは前記支持棒と回転接合される。前記接続アームに接続軸が設けられ、前記接続軸は前記スツール板の下面を支持する。前記接続軸は前記スツール板の幅方向に沿って設置され、前記スツール板と回転接合される。
展開状態では、前記リンク機構は前記スツール板の下面を支持して前記スツール板の水平を保持する。
折畳状態では、前記接続アームが前記スツール板と共に前記支持棒側に旋回して前記スツール板を垂直にする。前記スイングアーム及び接続アームは共に前記スツール板の内側に向かって回転し、前記スツール板の下面に接近する。
【０００７】
折畳式テーブルスツールセットは、折畳及び展開の２つの状態を有し、フレーム、前記フレームの左右両側に対称に設置される一対のテーブル板、前記フレームの左右両側に対称に設置される一対のスツール板を含み、前記フレームは前後に縦方向に並んで設置される２本の支持棒を含む。前記フレームは２つの前記支持棒の最上部に接続される中間板をさらに含み、前記テーブル板の両側はそれぞれ前記中間板とヒンジ連結される。前記フレームは各前記スツール板に対応して一対のリンク機構を有し、各スツール板に対応する２つの前記リンク機構は２本の前記支持棒の底部にそれぞれ接続される。前記リンク機構は回転接合されるスイングアーム及び接続アームを含み、前記スイングアームは地面に支持され、前記スイングアームの外端は前記支持棒と回転接合される。前記接続アームの外端に接続軸が設けられ、前記接続軸は前記スツール板の下面を支持する。前記接続軸は前記スツール板の幅方向に沿って設置され、前記スツール板と回転接合される。
展開状態では、前記テーブル板は水平に配置され、前記中間板と１つの平面内にあり、前記中間板は２つのテーブル板の間にある。前記リンク機構は、前記スツール板の下面を支持して前記スツール板の水平を保持する。
折畳状態では、前記テーブル板が下に旋回して垂直になり、前記接続アームが前記スツール板と共に前記支持棒側に旋回して前記スツール板を垂直にする。前記スイングアーム及び接続アームは共に前記スツール板の内側に向かって回転し、前記スツール板の下面に接近する。
【発明の効果】
【０００８】
本技術案は背景技術と比較して、以下の利点を有する。
前記スイングアーム及び前記接続アームは回転接合され、折り畳むとき、前記接続アームは前記スツール板と共に旋回し、前記スツール板を直接垂直状態にすることができる。１つの動作を必要とするのみで、前記スツール板を折り畳むことができ、操作は非常に早く、簡便である。さらにたとえスツール板の長さが長くても、折畳及び展開のとき、前記スツール板は両側の接続アームを同時に旋回させることができるため、一人でも操作することができ、使用が便利である。本発明はスイングアーム及び支持棒の間に１つの回転関係が形成され、スイングアーム及び接続アームの間にもう１つの回転関係が形成され、接続アーム及びスツール板の間に第３の回転関係が形成される。前記リンク機構を開閉することにより、直接スツール板を旋回させ、構造が非常に簡単である。
【０００９】
以下、図及び実施例を組み合わせて、本発明についてさらに説明する。
【図面の簡単な説明】
【００１０】
【図１】図１は、本発明の折畳式テーブルスツールセットにおける第１の実施例の展開状態の立体概要図である。
【図２】図２は、図１に示す折畳式テーブルスツールセットにおける展開状態の別の立体概要図である。
【図３】図３は、図１に示す折畳式テーブルスツールセットにおける片側のテーブル板下面の横棒を畳んだ後の概要図である。
【図４】図４は、図１に示す折畳式テーブルスツールセットにおける片側のテーブル板を折り畳んだ後の概要図である。
【図５】図５は、図１に示す折畳式テーブルスツールセットにおける片側のスツール板を折り畳んだ後の概要図である。
【図６】図６は、図１に示す折畳式テーブルスツールセットにおける片側のスツール板下面のスイングアーム及び接続アームを折り畳んだ後の概要図である。
【図７】図７は、図１に示す折畳式テーブルスツールセットにおける折畳状態の立体概要図である。
【図８】図８は、本発明の折畳式テーブルスツールセットにおける第２の実施例の概要図である。
【図９】図９は、本発明の折畳式テーブルスツールセットにおける第３の実施例の概要図である。
【図１０】図１０は、本発明の折畳式テーブルスツールセットにおける第４の実施例の概要図である。
【図１１】図１１は、図１０に示す折畳式テーブルスツールセットにおける片側のテーブル板及びスツール板を折り畳んだ概要図である。
【図１２】図１２は、本発明の折畳式テーブルスツールセットにおける第５の実施例の概要図である。
【発明を実施するための形態】
【００１１】
図１から図２を参照されたい。折畳式テーブルスツールセットは、フレーム１０、前記フレーム１０の左右両側に対称に設置される一対のテーブル板２０、前記フレーム１０の左右両側に対称に設置される一対のスツール板３０を含み、前記テーブル板２０及びスツール板３０は展開状態で水平である。
【００１２】
前記フレーム１０は前後に縦方向に並んで設置される２本の支持棒１２を含み、前記テーブル板２０の両側は２本の前記支持棒１２の最上部とそれぞれヒンジ連結される。前記フレーム１０は各前記テーブル板２０に対応して一対の横棒１４を有し、各テーブル板に対応する２本の前記横棒は２本の前記支持棒１２の最上部とそれぞれ回転接合され、前記横棒１４は水平面内で回転することができる。前記横棒１４は前記テーブル板２０の下面を支持し、前記テーブル板２０の水平を保持する。
【００１３】
前記フレーム１０は各前記スツール板３０に対応して一対のリンク機構１６を有し、各スツール板に対応する２つの前記リンク機構１６は２本の前記支持棒１２の底部にそれぞれ接続され、前記スツール板３０を支持する。前記リンク機構１６は回転接合されるスイングアーム１６２及び接続アーム１６４を含み、前記スイングアーム１６２は地面に支持され、前記接続アーム１６４は前記スイングアーム１６２に向かって回転し、前記スイングアーム１６２の上方に接近することができる。前記スイングアーム１６２の外端は前記支持棒１２と回転接合され、前記スイングアーム１６２の内端は支持棒１２にヒンジ連結され、これにより水平面内でフレームの内側に向かって回転することができる。前記接続アーム１６４の外端に接続軸１６６が設けられ、前記接続軸１６６は前記スツール板３０の下面を支持する。前記接続軸１６６は前記スツール板３０の幅方向に沿って設置され、前記スツール板３０と回転接合される。前記リンク機構１６は前記スツール板３０の下面を支持し、前記スツール板３０の水平を保持する。
【００１４】
図３及び図４を参照されたい。折り畳むとき、前記横棒１４はフレームの内側に向かって回転して、前記テーブル板２０の内側縁に接近し、前記テーブル板２０は下に旋回して垂直にすることができる。
【００１５】
図５及び図６を参照されたい。折り畳むとき、前記接続アーム１６４が前記スツール板３０と共に前記支持棒１２側に旋回して前記スツール板３０を垂直にし、このとき、前記接続軸１６６も縦方向の方位に変わる。前記スイングアーム１６２及び接続アーム１６４は共に前記スツール板３０の内側に向かって回転し、前記スツール板３０の下面に接近することができる。
【００１６】
同様の方式で、もう１つのテーブル板２０及びスツール板３０を折り畳む。図７に示す通りである。
【００１７】
好ましくは、折畳状態では、前記スイングアーム１６２及び前記支持棒１２の間の回転軸は前記接続軸１６６と１つの直線上にあり、このように、スイングアーム１６２及び接続アーム１６４の内側への回転はよりスムーズである。さらに、前記支持棒１２の底部にＣ型フレーム１２２が設けられ、前記スイングアーム１６２の内端は前記Ｃ型フレーム１２２内に位置し、前記Ｃ型フレームと回転接合される。折畳状態では、前記スツール板３０は前記Ｃ型フレーム１２２上で直立し、前記支持棒１２の外側に接近する。このように、折り畳んだとき、構造がよりコンパクトである。
【００１８】
好ましくは、前記接続アーム１６４はＣ状を呈し、開口はフレーム側に向き、より良好な応力効果を有する。
【００１９】
図５及び図６を参照されたい。好ましくは、前記スツール板３０の底面中央部にその長手方向に沿って補強棒３２が設けられる。前記接続アーム１６４及び前記補強棒３２の間に連結棒４０が接続され、前記連結棒４０の一端は前記接続アーム１６４とヒンジ連結され、前記連結棒のもう一端はスライドブッシュ５０とヒンジ連結され、前記スライドブッシュ５０は前記補強棒４０にスライド設置される。展開状態では、前記連結棒４０はスツール板３０の中央部に対して支持力を提供することができ、スツール板３０の応力を高める。より好ましくは、前記補強棒３２に挿入孔が設けられ、前記スライドブッシュ５０に可動ピンが設けられ、展開状態では、前記可動ピンは前記挿入孔中に挿入される。
【００２０】
図３を参照されたい。好ましくは、前記横棒１４の外端に突起１４２が設けられ、前記テーブル板２０の底面は前記横棒１４に対応して係止ブロック２２を有する。前記係止ブロック２２は前記突起１４２に対応して弧状のスライド溝２２１を有し、前記スライド溝２２１の端部に定位孔２２２が形成される。展開状態では、前記突起１４２は前記定位孔２２２中に留まる。前記突起１４２及び前記スライド溝２２１が相対してスライドするとき、摩擦力が存在し、このように前記突起１４２が前記定位孔２２２中により良好に留まることを保証する。外力の作用でのみ、前記横棒１４を回転させることができる。さらに、前記横棒１４の外端部に取っ手１４４が設けられる。
【００２１】
好ましくは、前記支持棒１２の最上端の左右両側にそれぞれ接続片１２４が設けられ、前記接続片１２４は前記テーブル板２０とヒンジ連結される。前記テーブル板２０の側面に、外側から前記接続片１２４を隠すカバー２４が設けられる。前記フレーム１０は、２つの支持棒１２の間に接続される固定棒１８をさらに含む。
【００２２】
本発明の折畳式テーブルスツールセットにおいて、左右両側のテーブル板は独立して存在し、左右両側のスツール板も独立して存在することを理解することができる。従って、単一のテーブル板及び単一のスツール板の構造、すなわちフレーム１０の片側のみにテーブル板２０及びスツール板３０を設置するように設計することもできる。同じように折畳可能な機能を有し、図８に示す第２の実施例の通りである。
【００２３】
図９を参照されたい。本発明の折畳式テーブルスツールセットにおける第３の実施例の概要図であり、本実施例における第１の実施例と異なる部分は次の通りである。テーブル板２０はフレーム１０の支持棒とヒンジ連結されず、フレーム１０の最上部に１枚の中間板１９がさらに設けられる。中間板１９は前後方向に水平に設置され、２本の前記支持棒１２の最上部と接続される。前記テーブル板２０の両側はそれぞれ前記中間板１９とヒンジ連結され、前記テーブル板２０は前記中間板１９に相対して旋回することができる。展開状態のとき、前記テーブル板２０は水平に配置され、前記中間板１９と１つの平面内にあり、前記中間板１９は２つのテーブル板１０の間にある。折畳状態では、前記テーブル板は下に旋回して垂直になる。２つのテーブル板２０の間に１枚の中間板１９を設置するため、前記中間板１９は２つのテーブル板２０の間の隙間を埋めることができ、指が２つのテーブル板２０の間に入り、事故が生じるのを防止する。同様に、前記フレームに前記テーブル板２０を支持する横棒を設置することもでき、折畳状態では、前記横棒は回転して前記中間板１９の下面に収容され、前記テーブル板２０は下に旋回して垂直になる。
【００２４】
図１０、１１を参照されたい。本発明の折畳式テーブルスツールセットにおける第４の実施例の概要図であり、第１の実施例と異なる部分は次の通りである。前記テーブル板２０下面の両側は２本の支持棒１２に対応して２つのガイドバー２６を有し、前記ガイドバー２６にスライダ２６２が設けられ、前記スライダ２６２は前記ガイドバー２６に沿ってスライドすることができる。前記ガイドバー２６にロック孔が設けられ、前記スライダ２６２に可動ピンが設けられ、可動ピン及びロック孔の挿着による結合により、前記スライダ２６２の位置を限定することができ、テーブル板２０の水平状態を保持する。テーブル板２０を折り畳む必要がある場合、可動ピン及びロック孔を分離することができ、すなわち両手でテーブル板２０の下面から両側のガイドバー２６の可動ピンをそれぞれ操作する。前記スライダ２６２及び前記支持棒１２の間に支柱２７が設けられ、前記支柱２７の両端はそれぞれ前記スライダ２６２及び前記支持棒１２とヒンジ連結される。展開状態では、前記可動ピンは前記ロック孔中に挿入され、前記支柱２７は前記テーブル板２０の下面を支持して前記テーブル板２０の水平を保持する。折畳状態では、前記可動ピンは前記ロック孔から抜かれ、前記テーブル板２０は旋回して垂直になる。前記スツール板３０の上面は前記支持棒１２に対応して凹状溝３４を有し、折畳状態では、前記凹状溝３４は前記支持棒１２に嵌る。前記テーブル板２０の上面は内側縁の中央部に手提げ溝２８を有し、前記折畳式テーブルスツールセットを持つのが便利である。
【００２５】
図１２を参照されたい。本発明の折畳式テーブルスツールセットにおける第５の実施例の概要図であり、第４の実施例と異なる部分は次の通りである。テーブル板２０下面の２つのガイドバー２６の間に持上棒２９が接続され、前記持上棒２９の両端はそれぞれ２つのガイドバー２６と回転接合され、前記持上棒２９は２つのスライダ２６２上の可動ピンと連動する。すなわち前記持上棒２９を回転させ、２つのスライダ２６２上のボタンを同時に押すことにより、２つのスライダ２６２上の可動ピンを前記ロック孔から抜くことができ、テーブル板の折畳がより便利である。
【００２６】
以上の記載は本発明の好ましい実施例に過ぎず、従ってこれにより本発明の実施範囲を限定することはできない。すなわち本発明の特許範囲及び明細書の内容に基づいて行う同等の変更及び修飾は、いずれも本発明に包含される範囲内に属するべきである。
【産業上の利用可能性】
【００２７】
本発明は折畳式テーブルスツールセットを開示しており、背景技術と比較して、以下の利点を有する。前記スイングアーム及び前記接続アームは回転接合され、折り畳むとき、前記接続アームは前記スツール板と共に旋回し、前記スツール板を直接垂直状態にすることができる。１つの動作を必要とするのみで、前記スツール板を折り畳むことができ、操作は非常に早く、簡便である。さらにたとえスツール板の長さが長くても、折畳及び展開のとき、前記スツール板は両側の接続アームを同時に旋回させることができるため、一人でも操作することができ、使用が便利である。本発明はスイングアーム及び支持棒の間に１つの回転関係が形成され、スイングアーム及び接続アームの間にもう１つの回転関係が形成され、接続アーム及びスツール板の間に第３の回転関係が形成される。前記リンク機構を開閉することにより、直接スツール板を旋回させ、構造が非常に簡単で、良好な産業上の利用可能性を有する。
【図１】
2021534845.tif 000003
【図２】
2021534845.tif 000004
【図３】
2021534845.tif 000005
【図４】
2021534845.tif 000006
【図５】
2021534845.tif 000007
【図６】
2021534845.tif 000008
【図７】
2021534845.tif 000009
【図８】
2021534845.tif 000010
【図９】
2021534845.tif 000011
【図１０】
2021534845.tif 000012
【図１１】
2021534845.tif 000013
【図１２】
2021534845.tif 000014
【国際調査報告】
2021534845.tif 000015
2021534845.tif 000016
2021534845.tif 000017
2021534845.tif 000018
2021534845.tif 000019
2021534845.tif 000020